(57)【特許請求の範囲】
【請求項１】
スタック金型の金型中央部分（５６）を支持するキャリヤ組立体（１２）であって、前記組立体（１２）は、
１対の金型支持体であって、これらの金型支持体に金型中央部分（５６）が取着され得るもの、
を具備しており、
各金型支持体は、直線レール（２６）に沿って移動可能であり、前記直線レール（２６）は、複数のタイバー（２８）によって画成されている空間の外側に位置させられており、
各金型支持体は、少なくとも１つのブロック（４０）を有しており、前記少なくとも１つのブロック（４０）は、それに装着されている直線軸受（２４）であって、前記直線レール（２６）と係合するものを備えている、
キャリヤ組立体（１２）。
【請求項２】
各金型支持体に取着されているリンク仕掛組立体（４４）であって、前記金型支持体を複数のプラテン（２０，２２）に連結するものを更に具備している請求項１のキャリヤ組立体（１２）。
【請求項３】
各金型支持体が、垂直ポスト部（３２）を有している支柱鋳造体（３０）を具備しており、前記垂直ポスト部（３２）は、キー及び通し孔であって、支柱鋳造体（３０）が中央金型部分（５６）の側部と整合させられ且つそれに締結されるのを可能にするものを備えている請求項２のキャリヤ組立体（１２）。
【請求項４】
各支柱鋳造体（３０）が、ベース支持部（３８）であって、このベース支持部（３８）に各前記直線軸受ブロック（４０）が連結されているものを有している請求項３のキャリヤ組立体（１２）。
【請求項５】
各支柱鋳造体（３０）が、ボス（４２）であって、このボス（４２）に前記リンク仕掛組立体（４４）が回転可能に装着されているものを有している請求項３のキャリヤ組立体（１２）。
【請求項６】
各支持体が、２つのブロック（４０）であって、それらに取着されている直線軸受（２４）を備えているものを有しており、且つ、前記ブロック（４０）は、向上した安定性を前記支持体に与えるべく、離隔させられている請求項１のキャリヤ組立体（１２）。
【請求項７】
各前記ブロック（４０）が、前記レール（２６）からの前記支持体の取り外しを容易にすべく、複数のボルトによって前記支持体に装着されている請求項１のキャリヤ組立体（１２）。
【請求項８】
成形機（１０）であって、
側面支持構造体（１６，１８）を有しているベースであって、各前記側面支持構造体（１６，１８）はその上に装着されている少なくとも１つの直線レール（２６）を有している、ものと、
前記ベース（１４）に固定されている固定プラテン（２０）と、可動プラテン（２２）と、金型中央部分（５６）を支持するキャリヤ組立体（１２）とを備えているスタック金型システムと、
前記固定プラテン（２０）から延出している複数のタイバー（２８）と、
を具備しており、
前記キャリヤ組立体（１２）は、２つの金型支持体を具備しており、
各前記金型支持体は、少なくとも１つのブロック（４０）であって、それに装着されている直線軸受（２４）を備えているものを有しており、前記直線軸受（２４）は、それぞれの前記側面支持構造体（１６，１８）上の前記少なくとも１つの直線レール（２６）に沿ってそれぞれの前記金型支持体が摺動するのを可能にし、前記可動プラテン（２２）及び各前記金型支持体は、前記タイバー（２８）によって支持されていない、
成形機（１０）。
【請求項９】
各金型支持体であって、それに装着されているリンク仕掛組立体（４４）を有しているものを更に具備しており、前記リンク仕掛組立体（４４）は、前記固定プラテン（２０）と前記可動プラテン（２２）とに接続されている請求項８の成形機（１０）。
【請求項１０】
前記リンク仕掛組立体（４４）が、前記金型支持体に装着されているプロペラ（４６）と、前記プロペラ（４６）及び前記固定プラテン（２０）に接続されている第１リンク（４８）と、前記プロペラ（４６）及び前記可動プラテン（２２）に接続されている第２リンク（５０）とを具備している請求項９の成形機（１０）。
【請求項１１】
前記成形機（１０）からの前記金型支持体の取り外しを容易にすべく、前記第１リンク（４８）が、複数の取り外し可能なボルトによって前記固定プラテン（２０）に接続されていると共に、前記第２リンク（５０）が、複数の取り外し可能なボルトによって前記可動プラテン（２２）に接続されている請求項１０の成形機（１０）。
【請求項１２】
各前記金型支持体が、それに装着されている２つの直線軸受ブロック（４０）を有しており、前記直線軸受ブロック（４０）は、向上した安定性を前記金型支持体に与えるべく且つ前記金型中央部分（５６）が取り外される際における前記金型支持体の内方移動を防止すべく、離隔させられている請求項８の成形機（１０）。
【請求項１３】
前記少なくとも１つの直線軸受ブロック（４０）が、前記成形機（１０）からの前記金型支持体の取り外しを容易にすべく、複数の取り外し可能なボルトによって前記金型支持体に装着されている請求項８の成形機（１０）。
【請求項１４】
各前記金型支持体が、キーを収容するための凹部とボルト用の通し孔とを備えている垂直ポスト部（３２）を有していると共に、前記凹部及び通し孔を介して前記金型中央部分のそれぞれの側部に装着される請求項８の成形機（１０）。
【請求項１５】
各前記金型支持体が、ベース支持部（３８）であって、このベース支持部（３８）に前記少なくとも１つの直線軸受ブロック（４０）が連結されているものを更に有している請求項１４の成形機（１０）。
【請求項１６】
各前記金型支持体が、ボス（４２）と、前記ボス（４２）に装着されているキャリヤリンク仕掛組立体（４４）であって、前記金型支持体を前記固定プラテン（２０）及び可動プラテン（２２）に連結するものとを更に具備しており、もって、前記可動プラテン（２２）の運動が、前記リンク仕掛組立体（４４）が前記金型支持体を前記少なくとも１つのレール（２６）に沿って移動させ且つ金型支持体を前記可動プラテン（２２）の全行程に亘って可動プラテン（２２）と固定プラテン（２０）との中間に維持することを、引き起こす請求項１４の成形機（１０）。
【請求項１７】
各側面支持構造体が、単一のレール（２６）であって、この単一のレール（２６）上を前記可動プラテン（２２）と前記金型支持体のうちの１つの金型支持体とが走るものを有している請求項８の成形機（１０）。
【請求項１８】
各側面支持構造体が、それに装着されている２つのレール（２６）を有しており、前記可動プラテン（２２）は、前記レール（２６）のうちの第１のレールと係合し且つその上を走ると共に、それぞれの前記金型支持体は、前記レール（２６）のうちの第２のレールと係合し且つその上を走る請求項８の成形機（１０）。
【発明の詳細な説明】
【０００１】
【技術分野】
本発明は、成形機用の改良されたスタック金型中央部分キャリヤに関する。
【０００２】
【発明の背景】
物品成形用のスタック金型システムは、従来技術において知られている。一のそのようなスタック金型システムは、Ｗｒｉｇｈｔへの米国特許第４，２０７，０５１号に示されている。Ｗｒｉｇｈｔのスタック金型システムは、タイバーを有しており、これらのタイバーは、金型取付板を貫通しており、これにより、それらを直接支持する。成形機からの金型の取り外しは、タイバーが引き出されることを必要とする。これは、時間のかかる工程であり、この工程は、タイバーをそれらの引出し位置に収容するための追加の空間を、成形機の型締装置の後に必要とする。
【０００３】
初期のスタック金型キャリヤは、金型中央部分への付属品であって、それを成形機内で支持し且つ中央部分が成形機のタイバーに沿って摺動するのを可能にするものであった。Ｂｒｏｗｎへの米国特許第４，４０８，９８１号は、下側のタイバー上に乗っているキャリヤを示している。キャリヤは成形機に取着されていないので、金型の取り外しは、キャリヤの取り外しをも必要とした。これは、金型を取り替えるのにより多くの時間を必要とする、追加の面倒な作業であった。
【０００４】
ＤｉＳｉｍｏｎｅ等への米国特許第４，９２９，１６６号は、同様なキャリヤを示しており、このキャリヤは、上側のタイバーと下側のタイバーとの間に支持されており、もって、金型の取り外しは、成形機上の、タイバー間の所定の場所にキャリヤを残しておく。キャリヤは、上側タイバー及び下側タイバーの両方に作用するハーフシュー軸受により、成形機に取着されたままである。これは、スタック金型が取り外され且つ別のスタック金型と取り替えられる場合には、時間を節約するが、後継の金型がスタック金型でない場合には、問題を解決しなかった。その場合、キャリジ組立体が、それを分解することにより、成形機から取り外されなければならなかった。
【０００５】
スタック金型が迅速に取着され得る金型キャリヤであって、スタック金型が取り外される際においても成形機内に安全に組み込まれたままであり、必要ならば、それ自身が成形機から容易に取り外され得るものに対するニーズが、存在する。
【０００６】
【発明の概要】
従って、本発明の目的は、スタック金型の金型中央部分用の改良された金型キャリヤ組立体を提供することである。
【０００７】
本発明の別の目的は、上述した金型キャリヤ組立体であって、スタック金型の金型中央部分が取り外される際に安定であるものを提供することである。
【０００８】
本発明の更に別の目的は、上述した金型キャリヤ組立体であって、プラテンと容易に整合させられるものを提供することである。
【０００９】
本発明の更に別の目的は、上述した金型キャリヤ組立体であって、必要ならば、迅速に且つ利便性良く取り外され得るものを提供することである。
【００１０】
上記の目的は、本発明の改良された金型キャリヤ組立体によって達成される。
【００１１】
本発明によれば、スタック金型の金型中央部分を支持する金型キャリヤ組立体が、提供される。金型キャリヤ組立体は、１対の金型支持体であって、これらの金型支持体に金型中央部分が取着され得るものを有している。各金型支持体は、成形機のベースに取着されている直線レールに沿って移動可能であると共に、少なくとも１つのブロックであって、それに装着されている、直線レールと係合する直線軸受を備えているものを有している。各金型支持体は、更に、金型支持体を他のプラテンに接続するリンク仕掛組立体を備えており、もって、各金型支持体の運動は、少なくとも１つの他のプラテンの運動と同期させられる。
【００１２】
本発明は、また、前記金型キャリヤ組立体を組み入れている成形機にも関している。成形機は、側面支持構造体を有しているベースを具備しており、各前記側面支持構造体は、その上に装着されている少なくとも１つの直線レールを有している。成形機は、更に、スタック金型システムを有しており、このスタック金型システムは、ベースに固定されている固定プラテンと、可動プラテンと、金型中央部分を支持するキャリヤ組立体とを備えている。キャリヤ組立体は、２つの金型支持体を具備しており、各金型支持体は、少なくとも１つのブロックであって、それに装着されている直線軸受を備えているものを有しており、その直線軸受は、それぞれの側面支持構造体上の少なくとも１つの直線レールに沿ってそれぞれの金型支持体が摺動するのを可能にする。
【００１３】
本発明の金型キャリヤ組立体及び成形機の他の詳細、並びにそれらに伴う他の目的及び利点は、以下の詳細な記載及び添付図面に述べられている。なお、それらの添付図面において、同じ参照数字は、同じ要素を表している。
【００１４】
【好適な実施形態の詳細な記載】
ここで図面を参照するに、図１は、本発明のスタック金型キャリヤ組立体１２を備えている成形機１０を示している。成形機１０は、型締ベース１４を有しており、この型締ベース１４は、２つの側面支持構造体１６及び１８を備えている。成形機１０は、更に、２つのプラテン２０及び２２を有しており、これらのプラテン２０及び２２に、金型（図示せず）が取着される。プラテン２０は、固定プラテン即ち静止プラテンである一方、プラテン２２は、可動プラテンであり、この可動プラテンは、支持構造体１６及び１８に締結されている固定直線レール２６と係合している直線軸受２４上に乗っている。成形機１０は、プラテン２２を型締位置と型開位置との間で移動させる手段（図示せず）をも備えている。プラテン２２を移動させる手段は、本発明の部分を形成しておらず、従って、詳細には記載されない。当業界において知られている適切なプラテン移動手段が、プラテン２２を型締位置と型開位置との間で移動させるべく、成形機１０において使用され得る。タイバー２８が、構造用支持材を追加すべく設けられており、固定プラテン２０から型締装置（図示せず）又は他の支持体（図示せず）まで延在している。本発明の成形機１０においては、タイバー２８は、可動プラテン２２又はスタック金型キャリヤ組立体１２を整合させ又は支持するためには使用されていない。
【００１５】
図面に示されているように、中央金型部分５６を支持するスタック金型キャリヤ組立体１２は、支持構造体１６及び１８上に位置させられている、２つの金型支持体即ち支柱鋳造体３０を具備している。ここで図２を参照するに、各支柱鋳造体３０は、垂直ポスト部３２を有しており、この垂直ポスト部３２は、キー（図示せず）を収容するための凹部３４と、ボルト用の通し孔３６とを備えている。キー及びボルトの両方は、各支柱鋳造体３０を、周知の態様で、スタック金型の中央金型部分５６（点線で示されている）のそれぞれの側部に整合させ且つ締結すべく使用される。各支柱鋳造体３０は、ベース支持体３８を有しており、このベース支持体３８には、直線軸受を備えている１つ以上のブロック４０が、締結されており、それらの直線軸受は、側部支持体１６，１８のうちの１つの側部支持体に装着されているそれぞれの直線レール２６と係合しており且つその上を走る。直線レール２６は、可動プラテン２２を案内すべく使用されるのと同じレールであってもよく、又は、第２のレールであって、可動プラテン２２を案内すべく使用される直線レールに平行に装着されており且つスタック金型キャリヤ組立体の支柱鋳造体３０のための専用整合手段を提供すべく外側にオフセットされているものであってもよい。この後者のアプローチは、可動プラテン２２が型締位置にあるときに、支持部３８が可動プラテンの位置と重ならなければならない場合において、特に有用であり得る。
【００１６】
各支柱鋳造体３０は、第３の部分、ボス４２を有しており、このボス４２に、キャリヤリンク仕掛組立体４４が、回転可能に装着されている。当業界においては周知の適切な接続手段が、リンク仕掛組立体４４をボス４２に回転可能に装着すべく使用され得る。リンク仕掛組立体４４は、図３〜図５に示されているように、ボス４２に回転可能に装着されているプロペラ４６を有している。プロペラ４６は、その端部に回転可能に装着されているリンク４８及び５０を有している。リンク４８は、固定プラテン２０に回転可能に装着されている一方、リンク５０は、可動プラテン２２に回転可能に装着されている。型締位置と型開位置との間の可動プラテン２２の運動は、リンク仕掛組立体４４が、各支柱鋳造体３０をそれぞれのレール２６に沿って移動させ且つ各支柱鋳造体３０（従って、中央金型部分（図示せず））をプラテンの全行程に亘ってプラテン２０とプラテン２２との中間に維持することを、引き起こす。これは、金型キャリヤを移動させる伝統的な且つ周知の方法である。
【００１７】
本願の譲受人に譲渡されている、同時係属の米国特許出願第０９／０５４，６９２号であって、それを引用することによってその全体が本明細書に組み入れられているものは、一の方法を教示しており、その方法においては、金型中央部分の動きを別の態様で制御すべく、等しくない長さのリンクが、使用され得る。所望されるならば、’６９２特許出願に示されているリンク仕掛システムが、リンク仕掛組立体４４の代わりに使用され得る。
【００１８】
スタック金型組立体の中央金型部分（図示せず）が成形機１０から及びスタック金型キャリヤ組立体１２から取り外される場合においては、キャリヤ組立体１２は、成形機１０に取着されたままであり、内側に又は外側に倒れることはない。何故ならば、それぞれの各支柱鋳造体３０の支持ベース３８が、ブロック４０内の直線軸受を介して、それぞれのレール２６上にしっかりと保持されているからである。プラテン２０及び２２にそれぞれ取着されているリンク４８及び５０は、中央金型が取り外される際の、各支柱鋳造体３０（従って、キャリヤ組立体１２）の安定性にも寄与する。上記記載から理解され得るように、本発明のスタック金型キャリヤ組立体のデザインは、スタック金型を取り付け且つ取り外すのに便利で安全な構成を提供する。
【００１９】
本発明のキャリヤ組立体のデザインの第２の利点は、支柱鋳造体３０（従って、キャリヤ組立体１２）がプラテン２０及び２２と容易に整合させられるということである。何故ならば、支柱鋳造体３０が、共通の装着手段（即ち、成形機ベース１４に取着されているレール２６）を共用しているからである。このデザインは、キャリヤ組立体をプラテンと正しく整合させるための、時間のかかる間隙調整作業を不要にする。
【００２０】
本発明のキャリヤ組立体のデザインの第３の利点は、必要な場合における、成形機１０からの各キャリヤ組立体１２の取り外しの容易さである。これは、リンク４８及び５０の端部をプラテン２０及び２２に締結しているボルト５２と、各支柱鋳造体３０を直線軸受ブロック４０に固定しているボルト５４とを取り外すことにより、迅速に且つ利便性良く達成され得る。その後、各キャリヤ組立体１２は、クレーンを用いて持ち上げられ且つ運び去られ得る。タイバーの取り外し又はキャリヤの分解は、以前のデザインとは異なり、各キャリヤ組立体を取り外すのに必要ではない。
【００２１】
本発明により、前述した手段、目的及び利点を十分に満足する、直線軸受上に装着されているスタック金型キャリヤが提供されている、ということは、明らかである。本発明が、その具体的な実施形態について記載されているが、代替、変更及び変形が、上述の記載を読んだ後には、当業者には明らかになろう。従って、それは、添付された請求項の広い範囲内に入る、そのような代替、変更及び変形を包含すべく、意図されている。
【図面の簡単な説明】
【図１】組み込まれた、本発明に係るスタック金型キャリヤ組立体を備えている、成形機ベース・プラテン組立体の等角図である。
【図２】直線軸受軌道及び金型キャリヤ支柱の等角図である。
【図３】装着されたリンク仕掛組立体を備えているキャリヤ組立体支柱の側面図である。
【図４】装着されたリンク仕掛組立体を備えているキャリヤ組立体支柱の平面図である。
【図５】装着されたリンク仕掛組立体を備えているキャリヤ組立体支柱の端面図である。
【図１】
0003626138.tif 000002
【図２】
0003626138.tif 000003
【図３】
0003626138.tif 000004
【図４】
0003626138.tif 000005
【図５】
0003626138.tif 000006